(57)【要約】【課題】構造が簡単、かつ省スペース、安全で設置、操作も容易、そして除塵効率が良く、流れる塵芥類により下流施設に支障が及ぶのを防止できる除塵機を安価に提供する。【解決手段】複数の回転体１１、１２の間に外周側に複数の塵芥掻揚部材１４を設けた、無端チェーン１３を掛け回したユニットを水路の流れ方向に直角に多数列並べてスクリーンも兼ねた構造を特徴とする。【選択図】        図１
2004316400.tif 000002
【特許請求の範囲】
【請求項１】
複数の回転体に掛け渡された無端チェーン（１３）を並列に３列以上並べ、塵芥をせき止めるスクリーンとして構成された除塵機。
【請求項２】
前記  無端チェーン（１３）の内側に上昇下降するチェーン間にスキマが出ないように平板を設けこれを無端チェーン（１３）の一部または全体のガイドとした除塵機。
【請求項３】
前記  無端チェーン（１３）の外側に複数の独立した塵芥掻揚部材（１４）を取り付け、塵芥掻揚部材（１４）が無端チェーン（１３）と一体で動く除塵機。
【発明の詳細な説明】
【０００１】
【発明の属する技術分野】
本発明は、取水口、取水路、側溝などに流れる塵芥類を回収、除去するための除塵機、または比較的小型の手動式除塵機に関する。
【０００２】
【従来の技術】
従来の除塵機として例えば、図７、図８に示すようなものがある。フレームの両側に２本の無端チェーンを配置して下部通水口のスクリーン上流側に付着した塵芥を、２本の無端チェーン間に渡されたレーキにより掻き上げを行う。無端チェーン上端まで移動してきたレーキの反転により塵芥はレーキより離脱し、塵芥の除去回収作業が可能になる。
【０００３】
【発明が解決しようとする課題】
従来の除塵機はレーキがスクリーンの間のスキマを保ちながら通過する構造であるから、ポリ袋等の薄物塵芥がスクリーンに強く付着すると除去できず、スクリーン間に塵芥が残留し易い。残留した塵芥によって無端チェーンの回転が阻害され、除塵作業に支障を来すことがある。本発明が解決しようとする課題は、ビニール、空缶等の塵芥を回収可能にできる。さらに構造も簡単なため機械内部に塵芥が残留せず、無端チェーンの回転を阻害せず、除塵作業に支障を来すことがない除塵機を提供することにある。
【０００４】
【課題を解決する為の手段】
前記課題を解決するため、本発明の除塵機（１０）は上下複数の回転体に掛け渡された複数の無端チェーン（１３）と、この無端チェーン（１３）の移動方向の複数箇所に設けられた塵芥掻揚部材（１４）を設け、かつ各無端チェーン（１３）に各々独立して塵芥掻揚部材（１４）を設けたことを特徴とする。
【０００５】
このような構成とすることにより、取水口、側溝などに流れて来る塵芥（カン類）（１９ａ）、塵芥（ビニール類）（１９ｂ）は、複数の無端チェーン（１３）間にせき止められ無端チェーン（１３）を移動させることにより塵芥掻揚部材（１４）が上方に移動し、塵芥が付着して掻き揚げられる。
そのため塵芥（カン類）（１９ａ）、塵芥（ビニール類）（１９ｂ）等の塵芥を効率的に回収することができる。また無端チェーン（１３）に設置した上方反転部を通過しても離脱しない塵芥は、無端チェーン（１３）間に設けられた櫛形の塵芥離脱スクリーン（１５）を通過することにより、強制的に離脱される。そのため再度塵芥が水中に戻ることを防ぐことができる。
【０００６】
ここで無端チェーン（１３）の間隔を対象とする塵芥より狭くすることで塵芥をせき止め、かつ平板をチェーンガイド（１６）とすることにより、せき止められた塵芥の押圧でチェーンがたわむのを防止し、なおかつチェーン間に塵芥が挟み込まれるのを防止することができる。このため塵芥がはさまることによる負荷抵抗の増大をなくすことができ、簡単な構造で小型化、軽量化がはかれる。
【０００７】
【発明の実施の形態】
図１は本発明実施の形態である除塵機（１０）の側面図、図２は同除塵機（１０）の正面図、図３は同除塵機（１０）の上面図、図４は同除塵機（１０）の無端チェーン（１３）と塵芥掻揚部材（１４）およびチェーンガイド（１６）の実施例を示す詳細図、図５，図６は同除塵機の塵芥掻揚部材（１４）の他の実施例を示す。
【０００８】
本実施形態の除塵機（１０）は、側溝底部に突き当てて垂直または傾斜した状態で保持されており、駆動側回転体（１１）および従動側回転体（１２）に掛け渡された複数の無端チェーン（１３）と、この無端チェーン（１３）の移動方向の複数箇所に設けられた単独の塵芥掻揚部材（１４）と、櫛形の塵芥離脱スクリーン（１５）とチェーンガイド（１６）などによって構成されている。複数の無端チェーン（１３）は手動ハンドル（１７）によって回転駆動される駆動軸によって回転し、無端チェーン（１３）の移動に伴い複数の塵芥掻揚部材（１４）も移動する。
【０００９】
ここで図４を参照して塵芥掻揚部材（１４）について説明する。図（ａ）は塵芥掻揚部材（１４）を示す側面図、同（ｂ）はＡ矢視図である。
【００１０】
また図３に示すように塵芥掻揚部材（１４）は複数の無端チェーン（１３）に各々独立して横一列に取付けられている。
【００１１】
また図５の他の実施例においては、図５（ｂ）に示すように塵芥掻揚部材（１４）が無端チェーン（１３）に対し斜め上方向に曲がっているため、除塵機（１０）本体が取付箇所の都合により傾斜ができず垂直に取付けられた場合にも塵芥（カン類）（１９ａ）、塵芥（ビニール類）（１９ｂ）の除塵が可能となる。
【００１２】
次に図６（ａ）、（ｂ）に示す塵芥掻揚部材（１４）を二股にすることにより、除塵効率をあげることができる。
【００１３】
次にチェーンガイド（１６）について説明する。図４（ａ）に示すように上昇下降するチェーンの間のスキマをなくすようにチェーンガイド（１６）を配置することにより、水流と塵芥による押圧を受けるととともにチェーン間に塵芥がはさみ込まれることを防ぐことができる。
【００１４】
次に図１、図３を参照して塵芥離脱スクリーン（１５）について説明する。塵芥離脱スクリーン（１５）は塵芥掻揚部材（１４）の通過経路に設置されており支持棒（１５ａ）に多数の塵芥離脱スクリーン材（１５ｂ）が設置され、各々の塵芥離脱スクリーン材（１５ｂ）間には塵芥掻揚部材（１４）が通過可能なスキマ（１５ｃ）が形成されている。塵芥掻揚部材（１４）がそれぞれ離脱スクリーン（１５）のスキマ（１５ｃ）中を通過する際に、塵芥掻揚部材（１４）に付着した塵芥が除去できる。
【００１５】
次に図９〜図１０を参照して除塵機（１０）を用いた除塵作業について説明する。図９に示すように底盤（１８）上において傾斜状態に保持された除塵機（１０）の無端チェーン（１３）を回転させると、水流により流れてきた塵芥はスクリーン状に並べられた無端チェーン（１３）に付着し、塵芥掻揚部材（１４）とともに掻き上げられるので塵芥（カン類）（１９ａ）、塵芥（ビニール類）（１９ｂ）等の塵芥を回収可能である。
【００１６】
塵芥作業中、塵芥掻揚部材（１４）により掻き上げられた塵芥のうち、塵芥（カン類）（１９ａ）のような比較的離脱し易いものは無端チェーン（１３）の上方反転部において下方に離脱する。
【００１７】
さらに図１０に示すように塵芥掻揚部材（１４）の通過経路には除塵機（１０）に対し傾斜した塵芥離脱スクリーン（１５）が設置され、図３に示す櫛形のスキマ（１５ｃ）間を塵芥掻揚部材（１４）が通過することにより、図９に示す離脱しにくい塵芥（ビニール類）（１９ｂ）を強制的に離脱させ下方に設置してある塵芥回収箱（２０）に回収することが可能である。
【００１８】
【発明の効果】
本発明によって以下の効果を奏することができる。
【００１９】
上下各々複数の回転体に掛け渡された複数の無端チェーン（１３）と上昇下降するチェーン間のチェーンガイド（１６）により、スクリーンとして取水口、側溝に流れてくる塵芥をせき止めることができ、下流に塵芥が流れるのを防止できる。
【００２０】
各無端チェーン（１３）の上下移動方向に複数設けられた塵芥掻揚部材（１４）により、せき止められた塵芥（カン類）（１９ａ）、塵芥（ビニール類）（１９ｂ）を効率的に回収、除去できる。
【００２１】
上方まで搬送してきた塵芥が、上方反転部で離脱しない場合でも、無端チェーン（１３）間に設けられた櫛形の塵芥離脱スクリーン（１５）により通過時に強制的に離脱されるので、再度水中に塵芥が戻ることを防止できる。
【００２２】
回転体とほぼ同幅の平板をチェーンガイド（１６）とすることにより、無端チェーン（１３）がせき止められた塵芥に押されてたわむことを防ぐ。さらに塵芥が無端チェーン（１３）間に挟まれ、無端チェーン（１３）の回転動作に支障をきたすのを防ぐことができる。
【００２３】
構造的に複雑で無いため、安価で故障しにくく安全で操作の容易な省スペースの除塵機（１０）を提供することができる。
【図面の簡単な説明】
【図１】実施の形態である除塵機を示す側面図である。
【図２】実施の形態である除塵機を示す正面図である。
【図３】実施の形態である除塵機を示す上面図である。
【図４】無端チェーンと塵芥掻揚部材及びチェーンガイドの実施例を示す図である。（ａ）は側面図、（ｂ）は（ａ）のＡ矢視図。
【図５】塵芥掻揚部材の形状を変えた他の実施例を示す図である。（ａ）は上面図（ｂ）は側面図。
【図６】塵芥掻揚部材の形状を変えた他の実施例を示す図である。（ａ）は上面図、（ｂ）は側面図。
【図７】従来の除塵機を示す側面図である。
【図８】従来の除塵機を示す正面図である。
【図９】図１に示す除塵機の動作状態を示す説明図である。
【図１０】図１に示す除塵機の動作状態を示す説明図である。
【符号の説明】
１０    除塵機
１１    駆動側回転体
１２    従動側回転体
１３    無端チェーン
１４    塵芥掻揚部材
１５    塵芥離脱スクリーン
１５ａ  支持棒
１５ｂ  塵芥離脱スクリーン材
１５ｃ  スキマ
１６    チェーンガイド
１７    手動ハンドル
１８    底盤
１９ａ  塵芥（カン類）
１９ｂ  塵芥（ビニール類）
２０    塵芥回収箱
【図１】
2004316400.tif 000003
【図２】
2004316400.tif 000004
【図３】
2004316400.tif 000005
【図４】
2004316400.tif 000006
【図５】
2004316400.tif 000007
【図６】
2004316400.tif 000008
【図７】
2004316400.tif 000009
【図８】
2004316400.tif 000010
【図９】
2004316400.tif 000011
【図１０】
2004316400.tif 000012